(57)【要約】【課題】眉の形状や長さを容易に整えることができ、さらに、鏡に向かって使用する際でも、視界を遮ることのない眉毛用毛抜きを提供する。【解決手段】眉の形を整える際に使用される眉毛用毛抜き１であって、対向する一対の挟持片２ａ、２ｂと、該挟持片２ａ、２ｂの基端を固着した固定部４と、前記挟持片２ａ、２ｂの先端に形成され閉時に当接して毛を挟み込む挟持部３ａ、３ｂと、前記挟持片２ａ、２ｂに設けられた切欠部５と、を備える。【選択図】図１
0003136421.tif 000002
【実用新案登録請求の範囲】
【請求項１】
眉の形を整える際に使用される眉毛用毛抜きであって、対向する一対の挟持片と、該挟持片の基端を固着した固定部と、前記挟持片の先端に形成され閉時に当接して毛を挟み込む挟持部と、前記挟持片に設けられた切欠部と、を備えることを特徴とする眉毛用毛抜き。
【請求項２】
前記切欠部が、前記挟持片の略中央部から先端にかけて先細状に、且つ湾曲状に形成されている請求項１記載の眉毛用毛抜き。
【請求項３】
前記挟持片に目盛を設けた請求項１または２記載の眉毛用毛抜き。
【考案の詳細な説明】
【技術分野】
【０００１】
本考案は、眉毛用毛抜きに関し、詳しくは、眉の形状や長さを容易に、且つ正確に整えることができる眉毛用毛抜きに関する。
【背景技術】
【０００２】
従来、髭や眉毛、また毛髪等の余分な体毛を、先端の挟持部に挟んで抜くことができる毛抜きが多数存在するが、そのような中で、先端に毛を挟む挟持部を形成した一本の金属片を二つに折り曲げ、折り曲げた際に生じるバネの特性を利用した和風毛抜きや、予め反りを持たせた二枚の金属板の基端を固定した洋風の毛抜きがある。
【０００３】
また、毛抜き部を二面に挟み付け型にし、又、毛抜き部を支持部に対して、有効な曲げ角度をもたせることにより、毛抜きを容易に、安全に使い易くした毛抜きの用具が報告されている（例えば、特許文献１参照）。
特許文献１記載の毛抜きの用具は、バネ部を介した、支持部とその先端が毛抜き部を有する構造であり、支持部に平行な中心線と、毛抜き部の２枚に平行な中心線との角度を、５度から６０度の角度範囲に取ることを特徴とするものである。
【特許文献１】特開平０９−２７６０３５号公報
【考案の開示】
【考案が解決しようとする課題】
【０００４】
しかしながら、特許文献１記載の毛抜きを含め従来の毛抜き用具においては、図５に示すように、眉の上方を整えようとすると、毛抜きの本体部１０が眉毛の大半を覆ってしまうため、形状や長さを整えることが困難であったり、図６に示すように、眉の下方を整えようとすると、毛抜きの本体部１０が眼前にくるため、視界が遮られてしまうことが起きていた。
【０００５】
そこで本考案の目的は、上記問題点を解消し、眉の形状や長さを容易に整えることができ、また、鏡に向かって使用する際でも、視界の遮られることのない眉毛用毛抜きを提供することにある。
【課題を解決するための手段】
【０００６】
本考案は上記課題を解決するために、眉の形を整える際に使用される眉毛用毛抜きであって、対向する一対の挟持片と、該挟持片の基端を固着した固定部と、挟持片の先端に形成され閉時に当接して毛を挟み込む挟持部と、前記挟持片に設けられた切欠部と、を備えることを特徴とするものである。
【０００７】
本考案の眉毛用毛抜きにおいては、前記切欠部が、前記挟持片の略中央部から先端にかけて先細状に、且つ湾曲状に形成されていることが好ましく、より好ましくは、前記挟持片に目盛を設ける。
【考案の効果】
【０００８】
本考案によれば、対向する一対の挟持片に切欠部を、好ましくは略中央部から先端にかけて先細状に、且つ湾曲状に形成された切欠部を形成することで、使用の際に挟持片により眉が隠れることがなく、形状や長さを容易に整えることができる。また、鏡に向かって余分な眉毛を抜く際、挟持片により視界を遮ることはない。さらに、挟持片に目盛を設けたことにより、左右の眉の長さを均一に整えることができる。
【考案を実施するための最良の形態】
【０００９】
以下、本考案における眉毛用毛抜きの実施の形態を図面に基づいて説明する。
図示する眉毛用毛抜き１は、余分な毛を抜き、眉毛の形を整えるために使用される眉毛用毛抜きであって、対向する一対の挟持片２ａ、２ｂと、挟持片２ａ、２ｂの基端を固着した固定部４と、挟持片２ａ、２ｂの先端に形成され閉時に当接して毛を挟み込む挟持部３ａ、３ｂと、挟持片２ａ、２ｂに形成された切欠部５とを備える。
【００１０】
対向する一対の挟持片２ａ、２ｂは板状の金属片からなり、予め外側に反りを持たせた形状を呈する。挟持片２ａ、２ｂの基端には、スポット溶接等の常法の手段で固着した固定部４が形成されている。したがって、バネの作用で挟持部３ａ、３ｂ間に隙間が形成され、挟持片２ａ、２ｂを指で操作して、眉毛を挟み抜き、抜いた毛を容易に廃棄することができる。また、固定部４の近傍には、下げ紐や保持リングを挿入する開孔６が穿孔されている。なお、本考案の眉毛用毛抜きは、一本の金属片を二つに折り曲げて、折り曲げた際に生じるバネの特性を利用した構造のものであってもよい。
【００１１】
挟持片２ａ、２ｂには、切欠部５が形成されている。切欠部５は、挟持片２ａ、２ｂの略中央部から先端にかけて湾曲状に形成する。よって、挟持片２ａ、２ｂは先端になるに従い細状に形成される。
【００１２】
なお、切欠部５の形状は、図に示す緩やかな湾曲形状に限定されるものではなく、例えば、角型眉、アーチ型眉、平行眉等のさまざまな眉の形状に合わせた形状に形成することができる。切欠部５の形状を所望の眉の形状に合わせて形成することにより、眉ａ上部のラインを所望の形状に整えることが容易となる。
【００１３】
本考案の眉毛用毛抜きの他の好適一実施の形態として、挟持片２ａ、２ｂに目盛７を設けることができる。該目盛７は挟持片２ａ、２ｂの略中央部から先端の挟持部３ａ、３ｂにかけて設ける。図中、目盛７は、挟持片２ａ、２ｂの上部および下部に夫々設けられており、特に、眉の長さを整える際の使用勝手を向上させるべく、挟持片２ａ、２ｂの下部には細かい寸法を表示した目盛を設けることが好ましい。目盛７を設けることで、眉ａの長さを正確に計ることができ、左右の眉の長さを対称に整えることができる。
【００１４】
次に、本考案の眉毛用毛抜きの使用方法を図３および図４に基づいて説明する。
図３においては、眉ａの上方に存在する余分な毛を抜き、眉ａ上部の形状を整える状態を示す。この際、湾曲状の切欠部５により、眉が隠れることがなくなり、眉の形状を容易に整えることができる。また、眉ａ上部を切欠部５の形状に沿った形に整えることもできる。さらに、挟持片２ａ、２ｂの下部に設けられた目盛７により、眉の長さを正確に計ることができるため、眉の左右の長さを対称に整えることが可能である。
【００１５】
図４においては、眉ａの下方に存在する余分な毛を抜き、眉ａ下部の形状を整える状態を示す。この際、眉ａの下方の瞼部分に挟持片２ａ、２ｂを水平状態に配設しても、切欠部５により視界が遮られることがなく、鏡を見ながら余分な毛を容易に抜くことができる。さらに、挟持片２ａ、２ｂの上部に設けられた目盛７により、眉の長さを正確に計ることができ、左右の長さを対称に整えることが可能になる。
【図面の簡単な説明】
【００１６】
【図１】本考案の眉毛用毛抜きの全体図斜視である。
【図２】前記眉毛用毛抜きの正面図である。
【図３】前記眉毛用毛抜きにより眉上部を整える状態を示す。
【図４】前記眉毛用毛抜きにより眉下部を整える状態を示す。
【図５】従来の毛抜きにより眉上部を整える状態を示す。
【図６】従来の毛抜きにより眉下部を整える状態を示す。
【符号の説明】
【００１７】
１  眉毛用毛抜き
２ａ、２ｂ  挟持片
３ａ、３ｂ  挟持部
４  固定部
５  切欠部
６  開孔
７  目盛
ａ  眉毛
【図１】
0003136421.tif 000003
【図２】
0003136421.tif 000004
【図３】
0003136421.tif 000005
【図４】
0003136421.tif 000006
【図５】
0003136421.tif 000007
【図６】
0003136421.tif 000008